(57)【要約】  プロジェクター（１００）において、ベース（１０２）と、伸縮アームとプロジェクター本体（１０４）を含む。該伸縮アームは、第１端と第２端とを有し、かつ、伸縮アームの第１端は該ベース（１０２）に枢着される。該プロジェクター本体（１０４）はベース（１０２）の上方に配置され、かつ、伸縮アームの第２端はプロジェクター本体（１０４）に枢着される。該プロジェクターがその場で昇降することができ、使用者は、プロジェクターを移動しなくてもプロジェクターの高さを調整することができる。また、プロジェクターは上昇された後、回転することもできる。【選択図】図１
2012523588.tif 000002
【特許請求の範囲】
【請求項１】
プロジェクターにおいて、ベースと、
第１端と第２端とを有し、該第１端が該ベースに枢着される支持アームと、
該ベースの上方に配置されるプロジェクター本体と、を含み、
該支持アームの該第２端が該プロジェクター本体に枢着されることを特徴とするプロジェクター。
【請求項２】
該支持アームが圧縮される時、該プロジェクター本体は、該ベースに接合することを特徴とする請求項１に記載のプロジェクター。
【請求項３】
該支持アームが伸展される時、該プロジェクター本体と該ベースとの間には距離があることを特徴とする請求項１に記載のプロジェクター。
【請求項４】
該支持アームが伸展される時、該プロジェクター本体は、該ベースに対して回転可能であることを特徴とする請求項１に記載のプロジェクター。
【請求項５】
該支持アームが伸展される時、該ベースは、該プロジェクター本体に対して回転可能であることを特徴とする請求項１に記載のプロジェクター。
【請求項６】
該ベースは、固定物上のフックを収容する溝を含むことを特徴とする請求項１に記載のプロジェクター。
【請求項７】
該ベースは、下表面を有することを特徴とする請求項１に記載のプロジェクター。
【請求項８】
該ベースの該下表面は、少なくとも１つのバランス装置を含むことを特徴とする請求項７に記載のプロジェクター。
【請求項９】
該バランス装置は、ひっくり返されるとき、回転されるとき、引き出されるとき、該ベースの下表面の周囲から突出することを特徴とする請求項８に記載のプロジェクター。
【請求項１０】
プロジェクターにおいて、ベースと、
第１枢着棒と第２枢着棒とを有する伸縮アームと、
該ベースの上方に配置されるプロジェクター本体と、を含み、
該第１枢着棒と第２枢着棒とは、それぞれ第１端と第２端とを有し、該第１枢着棒の第１端は、該ベースに枢着され、且つ該第２枢着棒の第２端は、該プロジェクター本体に枢着されることを特徴とするプロジェクター。
【請求項１１】
該第１枢着棒の第２端は、該第２枢着棒の第１端に枢着されることを特徴とする請求項１０に記載のプロジェクター。
【請求項１２】
該第１枢着棒と該第２枢着棒との間の夾角が第１角度である時、該プロジェクター本体は、該ベースと接合しており、
該第１枢着棒と該第２枢着棒との間の夾角が第２角度である時、該プロジェクター本体と該ベースとの間には距離があることを特徴とする請求項１１に記載のプロジェクター。
【請求項１３】
該第１角度は、該第２角度より大きいことを特徴とする請求項１２に記載のプロジェクター。
【請求項１４】
該第１枢着棒と該第２枢着棒との間の夾角が第２角度である時、該プロジェクター本体は、該ベースに対して回転可能であることを特徴とする請求項１２に記載のプロジェクター。
【請求項１５】
該第１枢着棒と該第２枢着棒との間の夾角が第２角度である時、該ベースは、該プロジェクター本体に対して回転可能であることを特徴とする請求項１２に記載のプロジェクター。
【請求項１６】
該ベースは、固定物上のフックを収容する溝を含むことを特徴とする請求項１０に記載のプロジェクター。
【請求項１７】
該ベースは、下表面を有することを特徴とする請求項１０に記載のプロジェクター。
【請求項１８】
該ベースの下表面は、少なくとも１つのバランス装置を含むことを特徴とする請求項１７に記載のプロジェクター。
【請求項１９】
該バランス装置は、ひっくり返されるとき、回転されるとき、引き出されるとき、該ベースの下表面の周囲から突出することを特徴とする請求項１８に記載のプロジェクター。
【発明の詳細な説明】
【技術分野】
【０００１】
本発明は、プロジェクターに関し、特に、高さ調整可能かつ回転可能なプロジェクターに関する。
【背景技術】
【０００２】
近年、投影表示技術の発展に伴って、投影システム及び設備は、非常に迅速に発展している。その中、投影表示装置の種類は、投影部品により、液晶プロジェクター、デジタル・ライト・プロセッシング・プロジェクター、エルコス（ＬＣＯＳ、Ｌｉｑｕｉｄ ｃｒｙｓｔａｌ ｏｎ ｓｉｌｉｃｏｎ)表示プロジェクター及び陰極線管式プロジェクターに分けられる。また、上記プロジェクターは、プレゼンテーション会議や、ホーム・エンターテイメント、大型パブリック再生等に広く使用されている。
【０００３】
現在のプロジェクターは、プロジェクターの少なくとも２つの隅部の支持物にのみ高さ調整可能な脚部が配置される。また、この脚部の調整可能な高さも、僅かな高さであり、その目的は、投影幕に投射される映像がはっきり見えるように、プロジェクターの投射角度を調整することにある。
【発明の概要】
【発明が解決しようとする課題】
【０００４】
本発明の目的は、プロジェクターを垂直に昇降することにより、使用者に操作に便利なプロジェクターを提供することにある。
【０００５】
本発明のもう１つの目的は、上方へ移動した後に回転することができるプロジェクターを提供することにある。これにより、壁に掛けることができるだけでなく、３６０度回転することもできる。
【課題を解決するための手段】
【０００６】
本発明は、ベースと、伸縮アームと、プロジェクター本体とを含むプロジェクターを提供する。上記伸縮アームは、第１端と第２端とを有し、且つ伸縮アームの第１端は、ベースに枢着される。上記プロジェクター本体は、ベース上に配置され、且つ伸縮アームの第２端は、プロジェクター本体に枢着される。
【０００７】
本発明の好適な実施例において、上記伸縮アームが圧縮される時、プロジェクター本体は、ベースに接合する。一方、伸縮アームが伸展される時、プロジェクター本体とベースとの間には距離がある。
本発明の好適な実施例において、上記ベースは、固定物上のフックを収容するための溝を含む。
本発明の好適な実施例において、上記ベースの下表面は、少なくとも１つのバランス装置を含む。
本発明の好適な実施例において、上記プロジェクター本体とベースとは、相対的に回転可能である。
【０００８】
本発明は、また、ベースと、伸縮アームと、プロジェクター本体とを含むプロジェクターを提供する。上記伸縮アームは、第１枢着棒と第２枢着棒とを有し、上記第１及び第２枢着棒は、それぞれ第１端及び第２端を有し、第１枢着棒の第１端は、ベースに枢着される。上記プロジェクター本体は、ベース上に配置され、第２枢着棒の第２端は、プロジェクター本体に枢着される。
【０００９】
本発明の好適な実施例において、上記第１枢着棒の第２端は、第２枢着棒の第１端に枢着される。その中、第１枢着棒と第２枢着棒との間の夾角が第１角度である時、プロジェクター本体は、ベースと接合する。さらに、第１枢着棒と第２枢着棒との間の夾角が第２角度である時、プロジェクター本体とベースとの間には距離がある。
本発明の好適な実施例において、上記第１角度は、第２角度より大きい。
【００１０】
本発明は、伸縮アーム構造を採用したため、プロジェクターはその場で昇降することができる。したがって、使用者は、プロジェクターを移動しなくてもプロジェクターの高さを調整することができる。さらに、プロジェクターを上方へ移動した後でも、回転することができるため、さらに高い利便性を有する。
以下、本発明の上記又は他の目的、特徴及び利点を理解してもらうため、好適な実施例及び図面に基づいて詳細に説明する。
【図面の簡単な説明】
【００１１】
【図１】図１は、本発明の実施例に係るプロジェクターが圧縮される状態を示す側面透視図である。
【図２】図２は、本発明の実施例に係るプロジェクターが伸展される状態を示す側面図である。
【図３】図３は、本発明の実施例に係るプロジェクターが壁に掛けられる状態を示す側面図である。
【図４Ａ】図４Ａは、本発明の実施例に係るプロジェクターの下表面を示す概略図である。
【図４Ｂ】図４Ｂは、本発明の実施例に係る図４Ａのプロジェクターの下表面の線Ａ−Ａに沿う断面を示す概略図である。
【図５】図５は、本発明のもう１つの実施例に係るプロジェクターの下表面を示す概略図である。
【図６Ａ】図６Ａは、本発明のさらにもう１つの実施例に係るプロジェクターの下表面を示す概略図である。
【図６Ｂ】図６Ｂは、本発明の実施例に係る図６Ａのプロジェクターの下表面の線Ｂ−Ｂに沿う断面を示す概略図である。
【図７Ａ】図７Ａは、本発明のもう１つの実施例に係るプロジェクターの回転前の状態を示す側面透視図である。
【図７Ｂ】図７Ｂは、本発明のさらにもう１つの実施例に係るプロジェクターの回転後の状態を示す側面透視図である。
【発明を実施するための形態】
【００１２】
図１を参照されたい。図１は、本発明の実施例に係るプロジェクターが圧縮される状態を示す側面透視図である。図１において、プロジェクター１００は、ベース１０２と、プロジェクター本体１０４と、枢着棒１０８及び１０２で構成される伸縮アームとを含む。その中、当業者であれば、以下の事項を容易に理解することができるでしょう。すなわち、枢着棒の数量は、設計者が設計する時の実際の需要により決められるため、上記数量に限定されない。
【００１３】
本実施例において、ベース１０２は、机表面又はプロジェクターが置かれる物品と接触するように、机表面又はプロジェクターが置かれる物品の上に置かれる。また、枢着棒１０８の第１端は、ベース１０２と枢着点１０６で枢着され、枢着棒１０８の第２端は、枢着棒１１２の第１端と枢着点１１０で枢着され、枢着棒１１２の第２端は、プロジェクター本体１０４の下表面と枢着点１１４で枢着される。その中、上記枢着方式は、例えば貫通孔係止方式又は球体覆い方式（中華民国特許公報第Ｍ３４１６１４号第２図に示すように）であってよい。例を挙げると、貫通孔係止方式では、枢着棒１０８には枢着棒１０８を貫穿する貫通孔があり（枢着点１０６に近い位置）、そして“コ”字形の固定板を用いて枢着棒１０８の第１端をベース１０２に固定する。
【００１４】
プロジェクター本体１０４は、少なくとも投影ユニット１１６を含む。投影ユニット１１６は、映像を使用者が観られるように投影幕、壁又はホワイトボードの上に出力する。本実施例において、プロジェクター本体１０４は、さらにプロジェクター１００が具備すべき各種ユニットを含むが、本発明の要点ではないので、ここでは説明を省略する。
【００１５】
図１及び図２を併せて参照されたい。図２は、本発明の実施例に係るプロジェクターが伸展される状態を示す側面図である。図１において、枢着棒１１２と枢着棒１０８との間の第１夾角と、伸縮アームとの関係は、伸縮アームが圧縮される状態にあるため、ベース１０２とプロジェクター本体１０４とは、接合状態にある。その中、当業者であれば、以下の事項を容易に理解することができるでしょう。すなわち、ベース１０２とプロジェクター本体１０４とをしっかりと接合させるために、ベース１０２とプロジェクター本体１０４とに締め付け構造（未図示）を配置することができる。
【００１６】
図２において、枢着棒１１２と枢着棒１０８との間の第２夾角と、伸縮アームとの関係は、伸縮アームが伸展される状態にあるため、ベース１０２とプロジェクター本体１０４との間には距離がある。また、ベース１０２とプロジェクター本体１０４との間の距離の長さは、使用者が投影の需要に基づいて調整することができるため、固定値ではない。
【００１７】
本発明の好適な実施例において、第２夾角は、第１夾角より大きい。また、枢着棒１０８と枢着棒１１２とが圧縮される時に完全に重なり合うように設計されている場合では、第１夾角は０度である。
【００１８】
本発明の好適な実施例において、ベース１０２の形状は、図１及び図２に示すような凹字形である必要がなく、平面であってもよいが、その形状は、上記形状に限定されない。
【００１９】
図２を続けて参照されたい。使用者は、伸縮アームを伸ばすことによりプロジェクター本体１０４を上方へ移動する状態で、プロジェクター本体１０４を回転することができる。すなわち、使用者は、ベース１０２を移動又は回転しなくても、プロジェクター本体１０４をベース１０２に対して水平に回転することができる。すなわち、プロジェクター本体１０４を回転する時、枢着棒１０８及び１１２は、一緒に回転しない。さらに、本実施例において、枢着棒１０８及び１１２を水平に回転することにより、プロジェクター本体１０４を回転するように設計してもよい。
【００２０】
図３を参照されたい。図３は、本発明の実施例に係るプロジェクターが壁に掛けられる状態を示す概略図である。図３において、プロジェクター１００は、壁３０２に掛けられる。壁３０２には、Ｔ字形のフック（例えば、釘又はフック状の物であってよい）１２２が配置される。また、ベース１０２には、フック１２２を収容する溝１２０が配置される。したがって、フック１２２が溝１２０内に収容されると、プロジェクター１００は、壁３０２に掛けられる。
【００２１】
本実施例において、使用者は、プロジェクター本体１０４を上方へ移動した後、プロジェクター本体１０４と枢着棒１１２との間の夾角を調整することにより、プロジェクター本体１０４を壁に垂直に、地面に平行にするように調整することができる。これにより、投影ユニット１１６を幕の方向に向かせることができる。
【００２２】
図２及び図３を併せて参照されたい。本実施例において、使用者は、伸縮アームを伸ばすことによりプロジェクター本体１０４を上方へ移動した後、投影幕の方向に基づいてプロジェクター本体１０４を水平に回転することができる。さらに、プロジェクター本体１０４と投影幕との間の高さ関係に基づいてプロジェクター本体１０４と枢着棒１１２との夾角を適切に調整することもできる。
【００２３】
図４Ａ及び４Ｂを参照されたい。図４Ａ及び４Ｂは、それぞれ本発明の実施例に係るプロジェクターの下表面を示す概略図及び本発明の実施例に係る図４Ａのプロジェクターの下表面の線Ａ−Ａに沿う断面を示す概略図である。図４Ａは、図１に示すベース１０２の下表面１１８を示す概略図である。下表面１１８には、バランス装置４０２ａ及び４０２ｂが配置される。バランス装置４０２ａ及び４０２ｂは、下表面１１８の対向辺、且つ下表面１１８の隅部に近い位置に配置される。ここではその数量について、２つを例として挙げて説明するが、実際の数量は、それに限定されない。その中、バランス装置４０２ａ及び４０２ｂは、図１に示すプロジェクター本体１０４を上方へ移動する時、プロジェクター１００の高さが高すぎることでバランスを崩すことを防止するためのバランス装置である。したがって、バランス装置４０２ａ及び４０２ｂの面積及び下表面１１８から突出する面積は、プロジェクター本体１０４が上方へ移動され得る高さにより決まる。
【００２４】
本実施例において、バランス装置４０２ａを例として説明する。バランス装置４０２ａは、中心軸４０４により下表面１１８に枢着される。図４Ｂに示すように、下表面１１８にはバランス装置４０２ａを収容する空間があるため、下表面１１８とバランス装置４０２ａとが平らな表面になる。他に、下表面１１８を平らな平面に設計すると共に、バランス装置４０２ａを下表面１１８上に重ねるように設計することもできる。バランス装置４０２ａをひっくり返すと、図４Ｂの破線に示すように、バランス装置４０２ａは、下表面１１８から突出し、且つ下表面１１８と平らな平面になる。
【００２５】
図５を参照されたい。図５は、本発明のもう１つの実施例に係るプロジェクターの下表面を示す概略図である。図５は、図１に示すベース１０２の下表面１１８を示す概略図である。下表面１１８には、バランス装置５０２ａ及び５０２ｂが配置される。バランス装置５０２ａ及び５０２ｂは、下表面１１８の対向辺、且つ下表面１１８の隅部に近い位置に配置される。ここではその数量について、２つを例として挙げて説明するが、実際の数量は、それに限定されない。その中、バランス装置５０２ａ及び５０２ｂは、図１に示すプロジェクター本体１０４を上方へ移動する時、プロジェクター１００の高さが高すぎることでバランスを崩すことを防止するためのバランス装置である。したがって、バランス装置５０２ａ及び５０２ｂの面積及び下表面１１８から突出する面積は、プロジェクター本体１０４が上方へ移動され得る高さにより決まる。
【００２６】
本実施例において、バランス装置５０２ａは、中心軸５０４を中心として水平に回転する。したがって、バランス装置５０２ａは、回転されない状態では、下表面１１８の範囲内にある。バランス装置５０２ａは、回転されると、下表面１１８から突出する。
【００２７】
図６Ａ及び６Ｂを参照されたい。図６Ａ及び６Ｂは、それぞれ本発明のさらにもう１つの実施例に係るプロジェクターの下表面を示す概略図及び本発明の実施例に係る図６Ａのプロジェクターの下表面の線Ｂ−Ｂに沿う断面を示す概略図である。図６Ｂにおいて、バランス装置６０２ａは、ベース１０２の厚さ内に配置される。すなわち、ベース１０２の厚さ内にバランス装置６０２ａを収納する収容空間が配置される。また、上記収容空間が下表面１１８に非常に近いため、バランス装置６０２ａは、引き出される時、下表面１１８とほぼ平らな表面を形成する。また、下表面１１８上に収容空間があると共に、バランス装置６０２ａが上記収容空間を補填することによりバランス装置６０２ａと下表面１１８とが平らな表面を形成してもよい。どんな設計においても、当業者が容易に理解するように、バランス装置６０２ａを簡単に引き出し及び押し込むため、収容空間にはトラック（未図示）を配置する必要がある。バランス装置６０２ａ及び６０２ｂは、下表面１１８の対向辺、且つ下表面１１８の隅部に近い位置に配置される。ここではその数量について、２つを例として挙げて説明するが、実際の数量は、それに限定されない。そのうち、バランス装置６０２ａ及び６０２ｂは、図１に示すプロジェクター本体１０４を上方へ移動する時、プロジェクター１００の高さが高すぎることでバランスを崩すことを防止するためのバランス装置である。したがって、バランス装置６０２ａ及び６０２ｂの面積及び下表面１１８から突出する面積は、プロジェクター本体１０４が上方へ移動され得る高さにより決まる。
【００２８】
図７Ａを参照されたい。図７Ａは、本発明のさらにもう１つの実施例に係るプロジェクターの回転前の状態を示す側面透視図である。図７Ａにおいて、プロジェクター７００は、ベース７０２と、プロジェクター本体７０４と、支持アーム７０８とを含む。本実施例において、ベース７０２は、机表面又はプロジェクターが置かれる物品と接触するように、机表面又はプロジェクターが置かれる物品の上に置かれる。また、支持アーム７０８は、ベース７０２と枢着点７０６で枢着され、またプロジェクター本体７０４と枢着点７１０で枢着される。そのうち、上記枢着方式は、例えば貫通孔係止方式又は球体被覆方式（中華民国特許公報第Ｍ３４１６１４号第２図に示すように）であってよい。例を挙げると、貫通孔係止方式では、支持アーム７０８には支持アーム７０８を貫穿する貫通孔があり（枢着点７０６に近い位置）、そして“コ”字形の固定板を用いて支持アーム７０８の第１端をベース７０２に固定する。
【００２９】
プロジェクター本体７０４は、少なくとも投影ユニット７１６を含む。投影ユニット７１６は、映像を使用者が観られるように投影幕、壁又はホワイトボードの上に出力する。本実施例において、プロジェクター本体７０４は、さらにプロジェクター１００が具備すべき各種ユニットを含むが、本発明の要点ではないので、ここでは説明を省略する。
【００３０】
図７Ｂを参照されたい。図７Ｂは、本発明のさらにもう１つの実施例に係るプロジェクターの回転後の状態を示す側面透視図である。図７Ｂにおいて、投影ユニット７１６及び支持アーム７０８の位置は、図７Ａと異なる。その原因は、図７Ｂは、図７Ａのプロジェクターが１８０度回転後の状態を示すからである。図７Ａ及び７において、プロジェクター本体７０４は、上記図２に示すようにプロジェクター本体１０４を上方へ移動してから水平に回転することができるようになるのと違う。図７Ｂにおいて、プロジェクター本体７０４は、ベース７０２と接合している状態、少し接合している状態、又は少し隙間がある状態で回転することが可能である。したがって、プロジェクター本体７０４は、支持アーム７０８及びベース７０２の枢着点７０６を中心として、さらに支持アーム７０８の回転可能性により、プロジェクター本体７０４が誘導され回転する。
【００３１】
さらに、支持アーム７０８は、垂直方向で回転することもできる。したがって、支持アーム７０８が垂直に回転されると、同時にプロジェクター本体７０４とベース７０２との間の距離が変わる。図７Ａを例とすると、支持アーム７０８が右へ垂直に回転される時、プロジェクター本体７０４が元のベース７０２と接合する関係からベース７０２から離れる状態に変わる。また、支持アーム７０８とベース７０２との間の夾角が９０度である時、プロジェクター本体７０４とベース７０２との距離が最も遠い。支持アーム７０８とベース７０２との間の夾角が９０度にった後も、続けて支持アーム７０８を右へ回転すると、プロジェクター本体７０４とベース７０２との間の距離が徐々に減少し、最後は図７Ｂに示すようになる。
【００３２】
以上をまとめると、本発明のプロジェクターは、伸縮アーム構造を有するため、その場で昇降することができる。したがって、使用者は、プロジェクターを移動しなくてもプロジェクターの高さを調整することができる。さらに、プロジェクターを上方へ移動した後でも、回転することができるため、さらに高い利便性を有する。
【００３３】
以上のように本発明の好適な実施例を開示したが、本発明は、それらに制限されない。当業者は、本発明の主旨及び範囲から逸脱することなく様々な変更又は修正を行うことが可能であるため、本発明の保護範囲は、添付されている以下の特許請求の範囲により定義される。
【符号の説明】
【００３４】
１００、７００  プロジェクター
１０２、７０２  ベース
１０４、７０４  プロジェクター本体
１０６、１１０、１１４、７０６、７１０  枢着点
１０８、１１２  枢着棒
１１６、７１６  投影ユニット
１１８  下表面
１２０  溝
１２２  フック
３０２  壁
４０２ａ、４０２ｂ、５０２ａ、５０２ｂ、６０２ａ、６０２ｂ  バランス装置
４０４、５０４  中心軸
７０８  支持アーム
【図１】
2012523588.tif 000003
【図２】
2012523588.tif 000004
【図３】
2012523588.tif 000005
【図４Ａ】
2012523588.tif 000006
【図４Ｂ】
2012523588.tif 000007
【図５】
2012523588.tif 000008
【図６Ａ】
2012523588.tif 000009
【図６Ｂ】
2012523588.tif 000010
【図７Ａ】
2012523588.tif 000011
【図７Ｂ】
2012523588.tif 000012
【国際調査報告】
2012523588.tif 000013
2012523588.tif 000014
2012523588.tif 000015
2012523588.tif 000016